(57)【特許請求の範囲】
【請求項１】
偏光子と、硬化樹脂層とを含み、偏光子の硬化樹脂層が形成されている面には透明保護フィルムを有さない偏光板であって、
前記偏光子の少なくとも一方の面に前記硬化樹脂層が直接形成され、
前記硬化樹脂層が、下記（Ａ）成分および（Ｂ）成分を含み、前記（Ａ）成分と前記（Ｂ）成分との比が、重量比で２０：８０〜８０：２０である硬化性樹脂組成物から形成された硬化樹脂層であることを特徴とする偏光板。
（Ａ）分子構造中に３個以上の（メタ）アクリロイル基を有する多官能（メタ）アクリル系モノマー
（Ｂ）ヒドロキシアルキル（メタ）アクリルアミド
【請求項２】
前記（Ａ）成分が、分子構造中に４個以上の（メタ）アクリロイル基を有する多官能（メタ）アクリル系モノマーである、請求項１に記載の偏光板。
【請求項３】
前記（Ａ）成分が、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートからなる群より選ばれる１種以上の化合物である、請求項２に記載の偏光板。
【請求項４】
前記偏光子が、ヨウ素とポリビニルアルコール系樹脂とを含む請求項１〜３のいずれか１項に記載の偏光板。
【請求項５】
前記偏光子の一方の面には前記硬化樹脂層が直接形成され、他方の面には接着剤を介して透明保護フィルムが形成されている、請求項１〜４のいずれか１項に記載の偏光板。
【請求項６】
請求項１〜５のいずれか１項記載の偏光板の一方の面に粘着剤層が形成された粘着型偏光板。
【請求項７】
請求項１〜５のいずれか１項記載の偏光板、または請求項６記載の粘着型偏光板を搭載した画像表示装置。
【発明の詳細な説明】
【技術分野】
【０００１】
本発明は、偏光板およびそれを用いた画像表示装置に関する。
【背景技術】
【０００２】
各種画像表示装置においては、画像表示のために偏光板が用いられている。例えば、液晶表示装置（ＬＣＤ）は、液晶セルの少なくとも視認側に偏光板が配置された液晶パネルによって、光源から射出される光や、外光から液晶セルに入射する光の反射光の透過量を調整し、画像表示を可能としている。また、有機ＥＬ表示装置では、金属電極での外光の鏡面反射を遮蔽するために、有機発光層の視認側に、偏光板と１／４波長板を積層した円偏光板が配置される。
【０００３】
偏光板は、一般的に偏光子の両側に接着剤で透明保護フィルムが貼着された構成を有している。前記透明保護フィルムとしては、従来から、トリアセチルセルロース（ＴＡＣ）等のフィルムが広く用いられている。また、偏光板の表面にはハードコート（高硬度化）処理が施される場合がある。ハードコート処理は、一般に透明保護フィルム上に、硬化性樹脂を用いてハードコート層を形成することにより実施される。このようなハードコート処理は、偏光子の透明保護フィルムのうち、画像表示セル側に配置されるのと反対側の主面に施されるのが一般的である。
【０００４】
一方、液晶表示装置や有機ＥＬ表示装置等の画像表示装置の用途が拡大しており、例えば、携帯電話やカーナビゲータ等のモバイル装置に使用される機会の増加に伴い、偏光板には表面硬度の向上が求められるようになってきた。また、偏光板に対し、厚みを薄くする要請もある。このような観点から、偏光子の一方の主面に透明保護フィルムを配置せずに、偏光子の表面に光重合性化合物を用いて保護層を形成した偏光板が提案されている（例えば特許文献１）。
【０００５】
しかしながら、特許文献１に開示された偏光板では、偏光子と前記ハードコート層との密着性が悪く、またハードコート層のハードコート性が十分ではないという問題があった。かかる観点に鑑み、偏光子に、熱硬化性樹脂からなる介在層を形成し、その上に、光硬化性樹脂から形成されたハードコート層（硬化樹脂層）を直接形成することによって、偏光子とハードコート層の密着性を高めることが提案されている（例えば特許文献２）。また、硬化性樹脂組成物として、多官能（メタ）アクリルモノマーと光硬化性プレポリマーとを用いることによって、偏光子上に、硬度の高い硬化樹脂層を形成することが提案されている（例えば特許文献３）。
【先行技術文献】
【特許文献】
【０００６】
【特許文献１】特開２００５−１０３２９号公報
【特許文献２】特開２００８−１０７４３２号公報
【特許文献３】特開２００７−３３４３０７号公報
【発明の概要】
【発明が解決しようとする課題】
【０００７】
特許文献２のように介在層を介して偏光子上に硬化樹脂層を形成すれば、密着性の問題は改善されるものの、偏光板形成時の工程が増加することによるコストの増加、歩留まりの低下等の問題が生じ得る。さらに、本発明者らの検討によれば、特許文献３のように、高硬度の硬化樹脂層を形成した場合であっても、偏光子上に硬化樹脂層を直接形成した偏光板を粘着剤層を介して画像表示セルと貼り合わせた場合には、硬化樹脂層硬度が低下するため、実使用時の硬度が不十分となる場合があることが判明した。
【０００８】
かかる観点に鑑み、本発明は、薄型化が可能であり、偏光子と硬化樹脂層の密着性が高く、さらには粘着剤を介して液晶セルと貼り合せた場合においても、高い硬度を有する偏光板およびそれを用いた画像表示装置の提供を目的とする。
【課題を解決するための手段】
【０００９】
本発明の偏光板は、偏光子と硬化樹脂層とを含み、偏光子の少なくとも一方の面に前記硬化樹脂層が直接形成されている。前記硬化樹脂層は、下記（Ａ）成分および（Ｂ）成分を含む硬化性樹脂組成物から形成された硬化樹脂層である。
（Ａ）分子構造中に３個以上の（メタ）アクリロイル基を有する多官能（メタ）アクリル系モノマー
（Ｂ）分子構造中に、少なくとも１つの水酸基を有し、かつ、１個または２個の（メタ）アクリロイル基を有する一官能または二官能の（メタ）アクリル系モノマー
【００１０】
前記硬化性樹脂組成物における前記（Ａ）成分と前記（Ｂ）成分との比が、重量比で１０：９０〜９０：１０であることが好ましい。
【００１１】
また、前記（Ｂ）成分は、炭素数１〜１０の一官能または二官能（メタ）アクリレートであることが好ましい。前記（Ｂ）成分は、ヒドロキシアルキル（メタ）アクリレート、またはヒドロキシアルキル（メタ）アクリルアミドであることがより好ましい。
【００１２】
前記（Ａ）成分は、分子構造中に４個以上の（メタ）アクリロイル基を有する多官能（メタ）アクリル系モノマーであることが好ましく、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートからなる群より選ばれる１種以上の化合物であることがより好ましい。
【００１３】
前記偏光子は、ヨウ素とポリビニルアルコール系樹脂とを含むものであることが好ましい。
【００１４】
本発明の偏光板の一実施形態においては、偏光子の一方の面には硬化樹脂層が直接形成され、他方の面には接着剤を介して透明保護フィルムが形成されている。
【００１５】
また、本発明は前記偏光板の一方の面に粘着剤層が形成された粘着型偏光板に関する。さらに、本発明は前記偏光板が搭載された画像表示装置に関する。
【発明の効果】
【００１６】
本発明の偏光板は、偏光子の少なくとも一方の面に硬化樹脂層が直接形成されているため、透明保護フィルムを省略でき、薄型化、低コスト化が可能である。さらに、硬化樹脂層を形成する樹脂組成物として、分子構造中に、少なくとも１つの水酸基を有し、かつ、１個または２個の（メタ）アクリロイル基を有する一官能または二官能（メタ）アクリル系モノマーを有するため、偏光子と硬化樹脂層との密着性に優れる。また、本発明の偏光板は、粘着剤を介して液晶セル等の画像表示セルと貼り合せた場合においても、高い硬度が維持される。そのため、実使用時の表面硬度が高く、キズ付き防止に有効である。
【図面の簡単な説明】
【００１７】
【図１】本発明の実施形態による偏光板の概略断面図である。
【図２】本発明の実施形態による粘着型偏光板の概略断面図である。
【発明を実施するための形態】
【００１８】
［偏光板の構成］
以下、図面を参照しながら本発明を説明する。図１に示すように、本発明の偏光板は、偏光子１の少なくとも一方の面に、硬化樹脂層２が直接形成された構成を有している。本発明の実施形態においては、図１（ａ）に示すように偏光子１の両面に硬化樹脂層２，３が形成されていてもよいし、図１（ｂ）に示すように偏光子１の片面に硬化樹脂層２が形成されていてもよい。
【００１９】
本願明細書ならびに特許請求の範囲において、「直接積層される」とは、接着剤層、粘着剤層等の別の層や部材等を介さずに、偏光子と硬化樹脂層が直接接した状態で積層されることを意味する。前記硬化樹脂層は、保護層とハードコート層を兼ねることが好ましく、この態様であれば、偏光板の薄型化が可能となる。
【００２０】
図１（ａ）は、本発明の偏光板１０の一例の構成を示す断面図である。図１（ａ）の形態においては、偏光子１の一方の面に、第１の硬化樹脂層２が直接形成され、偏光子１の他方の面に第２の硬化樹脂層３が直接形成されている。図１（ｂ）は、本発明の偏光板１０の他の例構成を示す断面図である。図１（ｂ）の形態においては、偏光子１の一方の面に硬化樹脂層２が直接形成され、偏光子１の他方の面に、接着剤層４を介して透明保護フィルム５が積層されている。
【００２１】
図１（ａ）および図１（ｂ）に示す本発明の偏光板１０においては、硬化樹脂層２，３が、偏光子の保護層としての機能とハードコート層としての機能を兼ねており、偏光子１の硬化樹脂層が形成されている主面には別途の透明保護フィルムが設けられていないため、偏光板１０の薄型化が可能である。なお、硬化樹脂層２，３は、単層構造であってもよいし、二層以上の積層構造であってもよい。
【００２２】
［偏光子］
本発明の偏光板に用いられる偏光子１は、本発明の目的を達成し得るものであれば、任意の適切なものが選択され得る。偏光子１としては、例えば、親水性高分子フィルムにヨウ素や二色性染料等の二色性物質を吸着させて一軸延伸したもの、ポリビニルアルコールの脱水処理物やポリ塩化ビニルの脱塩酸処理物等のポリエン系配向フィルム等が挙げられる。前記親水性高分子フィルムとしては、例えば、ポリビニルアルコール系フィルム、部分ホルマール化ポリビニルアルコール系フィルム、エチレン・酢酸ビニル共重合体系部分ケン化フィルム等があげられる。本発明においては、偏光子１と硬化樹脂層との密着性を高める観点から、ポリビニルアルコール系フィルムをヨウ素で染色した偏光子が特に好適に用いられる。これらの偏光子の厚さは特に制限されないが、一般的に５〜８０μｍ程度である。
【００２３】
ポリビニルアルコール系フィルムにヨウ素染色した偏光子は、例えば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００２４】
偏光子は、硬化樹脂層等との密着性を向上させるために、任意の表面改質処理が施されていてもよい。前記表面改質処理としては、例えば、コロナ処理、プラズマ処理、グロー放電処理、火炎処理、オゾン処理、ＵＶオゾン処理、紫外線処理等が挙げられる。これらの処理は、単独で、又は２つ以上を組み合せて用いてもよい。
【００２５】
［硬化樹脂層］
硬化樹脂層２，３は、硬化性樹脂組成物から形成される。当該硬化性樹脂組成物は、（Ａ）分子構造中に３個以上の（メタ）アクリロイル基を有する多官能（メタ）アクリルモノマー、および（Ｂ）分子構造中に、少なくとも１つの水酸基を有し、かつ、１個または２個の（メタ）アクリロイル基を有する一官能または二官能の（メタ）アクリルモノマーを含む。なお、本明細書および特許請求の範囲において、「（メタ）アクリル」との記載は、アクリルおよび／またはメタクリルを意味し、「（メタ）アクリレート」との記載は、アクリレートおよび／またはメタクリレートを意味する。
【００２６】
前記（Ａ）成分の多官能（メタ）アクリルモノマーは、硬化樹脂層の架橋密度を高めることにより、硬化樹脂層の硬度を上げるために用いられる。前記多官能（メタ）アクリルモノマーは、分子構造中に（メタ）アクリロイル基を４個以上有するものが好ましく、５〜６個有するものがより好ましい。
【００２７】
中でも、前記（Ａ）成分としては、例えば、トリメチロールプロパントリ（メタ）アクリレート、トリス（アクリロキシエチル）イソシアヌレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が好適に用いられる。中でも、硬化樹脂層の硬度の観点からはペンタエリスリトールテトラ（メタ）アクリレート、ジペンタエリスリトールペンタ（メタ）アクリレート、およびジペンタエリスリトールヘキサ（メタ）アクリレートが好ましく、ジペンタエリスリトールヘキサ（メタ）アクリレートが特に好ましい。これらの多官能（メタ）アクリルモノマーは、一種類を単独で使用してもよいし、二種類以上を併用してもよい。
【００２８】
また、（Ａ）成分としての多官能（メタ）アクリルモノマーは、市販品を使用してもよい。市販品は、単品単独で使用してもよいし、二種類以上の市販品を組合せ使用してもよい。前記市販品の多官能（メタ）アクリルモノマーとしては、例えば、東亞合成（株）製 商品名「アロニックス」シリーズ、同社製 商品名「アロオキセタン」シリーズ、日本化薬（株）製 商品名「ＫＡＹＡＲＡＤ」シリーズ等が挙げられる。
【００２９】
また、（Ａ）成分としての多官能（メタ）アクリルモノマーの重量平均分子量（Ｍｗ）は、２５０〜８００であることが好ましい。重量平均分子量（Ｍｗ）を前記範囲とすることによって、表面硬度に優れ、硬化収縮が小さい硬化樹脂層を得ることができる。前記重量平均分子量（Ｍｗ）は、３２０〜７００であることがより好ましく、４００〜６５０であることがさらに好ましい。
【００３０】
（Ｂ）成分の（メタ）アクリル系モノマーのうち、水酸基を有する一官能（メタ）アクリレートとしては、例えばヒドロキシアルキル（メタ）アクリレートやまたはヒドロキシアルキル（メタ）アクリルアミドが挙げられる。また、水酸基を有する二官能（メタ）アクリレートとしては、例えば多価アルコールのジエポキシ（メタ）アクリレート等を用いることができる。
【００３１】
ヒドロキシアルキル（メタ）アクリレートとしては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。
【００３２】
ヒドロキシアルキル（メタ）アクリルアミドとしては、例えばヒドロキシメチル（メタ）アクリルアミド、２−ヒドロキシエチル（メタ）アクリルアミド、２−ヒドロキシプロピル（メタ）アクリルアミド、３−ヒドロキシプロピル（メタ）アクリルアミド、３−フェノキシ−２−ヒドロキシ−２−ヒドロキシプロピル（メタ）アクリルアミド、Ｎ−ヒドロキシイソプロピル（メタ）アクリルアミド、Ｎ−１−エチル−２−ヒドロキシエチル（メタ）アクリルアミド、Ｎ−ヒドロキシエトキシエチル（メタ）アクリルアミド、Ｎ−メチル−Ｎ−ヒドロキシエチル（メタ）アクリルアミド、Ｎ−エチル−Ｎ−ヒドロキシエチル（メタ）アクリルアミド、Ｎ，Ｎ−ジヒドロキシエチル（メタ）アクリルアミド、Ｎ−［１，１−ビス（ヒドロキシメチル）−２−ヒドロキシエチル］プロペンアミド、１−アクリロイル−４−ヒドロキシピペリジン等が挙げられる。
【００３３】
多価アルコールのジエポキシ（メタ）アクリレートとしては、例えば、アリルアルコール、エチレングリコール、プロピレングリコール、１，６−ヘキサンジオール等の各種アルコールから誘導されるエポキシジメタアクリレートが挙げられる。
【００３４】
このような一官能または二官能の（メタ）アクリレートとしては、市販品を使用してもよい。市販品のヒドロキシアルキル（メタ）アクリレートとしては、例えば、日本触媒（株）製の略称「ＢＨＥＡ」、「ＨＰＡ」、「ＨＥＭＡ」、「ＨＰＭＡ」、共栄社化学（株）製 商品名「ライトエステル」シリーズ、同社製 商品名「ライトアクリルレート」シリーズ等が挙げられる。市販品のヒドロキシアルキル（メタ）アクリルアミドとしては、例えば、興人（株）やＭＲＣユニテック（株）等から入手することができる。また、二官能の（メタ）アクリレートとしては、例えば、ナガセケムテックス（株）の「デナコールアクリレート（ＤＡ）」シリーズ等が挙げられる。これらの一官能または二官能の（メタ）アクリルモノマーは、一種類を単独で使用してもよいし、二種類以上を併用してもよい。また、一官能の（メタ）アクリルモノマーと二官能の（メタ）アクリルモノマーとを併用してもよい。
【００３５】
前記（Ｂ）成分の分子構造中に水酸基を有する一官能または二官能（メタ）アクリル系モノマーは、硬化樹脂層と偏光子との密着性を高めるために用いられる。さらには、硬化樹脂層が（Ｂ）成分を有することで、粘着剤層を介して偏光板と液晶セルとを貼り合せた場合における硬度の低下が抑制される。
【００３６】
偏光子に透明保護フィルムが設けられ、当該透明保護フィルム上に硬化樹脂層（ハードコート層）が設けられた従来の偏光板においては、一般に硬化樹脂層として、前記（Ａ）成分のような多官能アクリルモノマーが用いられている。しかしながら、偏光子上に硬化樹脂層を直接形成する場合、多官能アクリルモノマーのみでは、硬化樹脂層と偏光子との密着性が十分ではなかった。これに対して、本発明では、硬化樹脂層を形成する（Ｂ）成分が水酸基を有するために、親水性基を有する偏光子との密着性が高くなるものと推定される。
【００３７】
さらに、（Ｂ）成分は一官能または二官能モノマーであるため、前記（Ａ）成分と（Ｂ）成分との組成物が硬化することによって、硬化樹脂層は（Ｂ）成分が（Ａ）成分の架橋点間にオリゴマー成分として存在し得る。前記（Ａ）成分に対する（Ｂ）成分の比率が高くなると、架橋点間重合度が高くなり、架橋密度は低下する。
【００３８】
一般に、架橋密度が低下すると、硬度は低下する傾向があることから、従来は硬化樹脂層を形成する樹脂組成物としては、（Ａ）成分のような多官能モノマーを用いて硬度を高めることが行われていた。しかしながら、本発明者らは、従来の知見とは逆に、硬化樹脂層の（Ｂ）成分として一官能または二官能のアクリルモノマーを用いた偏光板は、液晶セルと貼り合せた場合でも硬化樹脂層の硬度低下が抑制されることを見出した。
【００３９】
架橋点間重合度を一定の範囲に保つ観点からは、（Ｂ）成分として炭素数１〜１０の一官能または二官能（メタ）アクリレートを用いることが好ましく、炭素数１〜１０の一官能（メタ）アクリレートを用いることがより好ましい。中でも、前述の如く、炭素数１〜１０のヒドロキシアルキル（メタ）アクリレート、またはヒドロキシアルキル（メタ）アクリルアミドが好適に用いられる。
【００４０】
このように、硬化性樹脂組成物が（Ｂ）成分を所定量含有することにより、粘着剤によって貼り合せた実用時における硬度低下が抑制される理由は明らかではない。本発明者らの推定するところでは、従来の硬化樹脂層においては、架橋点密度が高く硬度が高いために、硬化樹脂層に外部からの圧縮応力が付与された場合に、当該応力が変形応力として下層である偏光子や透明保護フィルムを介して粘着剤層へと伝達されやすく、その結果、外部からの力が加わった部分の凹状の変形が視認されやすいものと考えられる。これに対して、本発明においては、（Ｂ）成分の存在により、硬化性樹脂組成が適度な柔軟性を有するために、硬化性樹脂組成が外部からの応力を緩和する作用を有し、粘着剤層へと伝達される応力が低下し、凹状態の変化形の発生が抑制されるのではないかと考えられる。
【００４１】
硬化樹脂層の硬度を保ちつつ、偏光子と硬化樹脂層との密着性を確保し、さらに、粘着剤層を介して偏光板を液晶セルに貼り合せた際の実用時の硬度をも確保する観点からは、前記硬化性樹脂組成物における前記（Ａ）成分と前記（Ｂ）成分との比は、重量比で１０：９０〜９０：１０であることが好ましく、１５：８５〜８５：１５であることがより好ましく、２０：８０〜８０：２０であることがさらに好ましい。（Ｂ）成分の含有量が少なく、（Ａ）成分の含有量が過大である場合には、偏光子と硬化樹脂層との密着性が低下したり、粘着剤層を介して偏光板を液晶セルに貼り合せた際の実用時の硬度が低下する傾向がある。また、（Ｂ）成分の含有量が過大であり、（Ａ）成分の含有量が小さい場合には、硬化樹脂層の硬度が不十分であったり、加湿耐久性が不十分となる場合がある。
【００４２】
さらに、硬化樹脂層を形成するための硬化性樹脂組成物は、前記（Ａ）成分および（Ｂ）成分に加えて、（Ｃ）成分として硬化性プレポリマーを含むことが好ましい。硬化性プレポリマーとは、分子構造中に光反応性の官能基を有し、構造単位の繰り返し数が２以上の重合体をいう。前記構造単位の繰り返し数は、例えば、２〜２０であることが好ましい。
【００４３】
前記（Ｃ）成分である硬化性プレポリマー（硬化性オリゴマーともいう）は、硬化樹脂層の膜物性を改善することを主目的として使用される。前記（Ａ）成分および（Ｂ）成分に加えて（Ｃ）成分を併用することによって、硬化樹脂層に適度な柔軟性を付与することができ、表面硬度が硬く、かつ、偏光子等に対する密着性に優れた硬化樹脂層を得ることができる。
【００４４】
硬化性プレポリマーとしては、特に限定されず、例えば、ポリエステルアクリレート、ポリエステルメタクリレート、エポキシアクリレート、エポキシメタクリレート、ポリウレタンアクリレート、ポリウレタンメタクリレート等が挙げられる。これらのプレポリマーは、１種類を単独で用いてもよいし、２種類以上を混合して用いてもよい。これらのプレポリマーのなかで、好ましくは、ポリウレタンアクリレートおよびポリウレタンメタクリレートである。ポリウレタンアクリレートおよびポリウレタンメタクリレートは、分子量が大きいため、これを用いれば前記硬化樹脂層の単位面積当たりの架橋密度がより低くなり、前記硬化樹脂層の硬化収縮をより抑えることができる。その結果、前記硬化収縮に起因する偏光板のクラックや反りを、より低減することができる。
【００４５】
硬化性プレポリマーの重量平均分子量（Ｍｗ）は、硬化樹脂層の表面硬度の向上と硬化収縮の防止の観点から、２５０〜５０００であることが好ましく、３００〜４０００であることがより好ましく、４００〜３０００であることがさらに好ましい。
【００４６】
ポリウレタンアクリレートまたはポリウレタンメタクリレートは、分子構造中に、ウレタン結合（−ＮＨＣＯ−）と、アクリロイル基およびメタクロイル基の少なくとも一方とを有するものである。前記ポリウレタンアクリレートまたはポリウレタンメタクリレートは、例えば、下記（ａ）または（ｂ）の方法で合成できる。
【００４７】
（ａ） ２個以上のイソシアネート基を有するポリイソシアネートと、２個以上の水酸基を有するポリオールと、１個以上の水酸基を有するヒドロキシアクリレートおよび１個以上の水酸基を有するヒドロキシメタクリレートの少なくとも一方とを反応させる。
（ｂ）２個以上のイソシアネート基を有するポリイソシアネートと、２個以上の水酸基を有するヒドロキシアクリレートおよび２個以上の水酸基を有するヒドロキシメタクリレートの少なくとも一方とを反応させる。
【００４８】
ポリイソシアネートとしては、例えば、テトラメチレンジイソシアネート、ヘキサメチレンジイソシアネート、イソフォロンジイソシアネート、２，４−トリレンジイソシアネート、４，４´−ジフェニルジイソシアネート、１，５−ナフタレンジイソシアネート、キシレンジイソシアネート等が挙げられる。前記ポリオールとしては、例えば、１，３−ブタンジオール、１，４−ブタンジオール、トリメチロールエタン、トリメチロールプロパン、ジトリメチロールエタン、ジペンタエリスリトール、ジグリセロール等が挙げられる。ヒドロキシアクリレートとしては、例えば、２−ヒドロキシエチルアクリレート、４−ヒドロキシシクロヘキシルアクリレート、５−ヒドロキシシクロオクチルアクリレート、ペンタエリスリトールトリアクリレート等が挙げられる。前記ヒドロキシメタクリレートとしては、例えば、２−ヒドロキシエチルメタクリレート、４−ヒドロキシシクロヘキシルメタクリレート、５−ヒドロキシシクロオクチルメタクリレート、ペンタエリスリトールトリメタクリレート等が挙げられる。
【００４９】
ポリウレタンアクリレートおよびポリウレタンメタクリレートは、市販品を使用してもよい。市販品は単独で使用してもよいし、二種類以上の市販品を組合せ使用してもよい。市販品のポリウレタンアクリレートまたはポリウレタンメタクリレートとしては、例えば、日本合成化学工業（株）製 商品名「紫光」シリーズ、ダイセル・サイテック（株）製 脂肪族ウレタンアクリレート等が挙げられる。
【００５０】
前記（Ａ）成分、（Ｂ）成分と（Ｃ）成分の重量比（Ａ＋Ｂ：Ｃ）は、硬化樹脂層の表面硬度および密着性等の観点から、Ａ＋Ｂ：Ｃ＝９８：２〜５０：５０であることが好ましく、Ａ＋Ｂ：Ｃ＝９８：２〜６０：４０であることがより好ましい。
【００５１】
また、硬化性樹脂組成物は（Ｄ）成分として、光重合開始剤を含むことが好ましい。光重合開始剤としては、特に制限されず、例えば、アセトフェノン系開始剤、ベンゾインエーテル系開始剤、ベンゾフェノン系開始剤、チオキサントン系開始剤等が挙げられる。硬化時の着色防止および硬化速度等の観点から、光重合開始剤は、好ましくは、アセトフェノン系開始剤である。前記アセトフェノン系開始剤としては、例えば、ジエトキシアセトフェノン、ベンジルジメチルケタール、１−ヒドロキシシクロヘキシルフェニルケトン、２−ヒドロキシ−２−メチル−１−フェニルプロパン−１−オン、２−メチル−１−（４−メチルチオフェニル）−２−モルフォリノプロパン−１−オン、４−（２−ヒドロキシエトキシ）フェニル−（２−ヒドロキシ−２−プロピル）ケトン、１−フェニル−１，２−プロパンジオン−２−（ｏ−エトキシカルボニル）オキシム等が挙げられる。これらの光開始剤は、１種類を単独で使用してもよいし、２種類以上を併用してもよい。
【００５２】
光重合開始剤は、市販品をそのまま使用してもよい。また、市販品を２種類以上併用してもよい。市販品の光重合開始剤としては、例えば、チバ・スペシャリティ・ケミカルズ（株）製の商品名「ＩＲＧＡＣＵＲＥ」シリーズ等が挙げられる。また、前記光重合開始剤としては、東京化成工業（株）の市販品も種々使用可能である。
【００５３】
前記（Ｄ）成分である光重合開始剤の使用量は、硬化性樹脂組成物の、前記（Ａ）成分、（Ｂ）成分および（Ｃ）成分の合計１００重量部に対して、０．５〜１０重量部であることが好ましく、１〜８重量部であることがより好ましい。
【００５４】
硬化性樹脂組成物は、前記（Ａ）成分、（Ｂ）成分および（Ｃ）成分以外に、反応性希釈剤を含んでいてもよい。反応性希釈剤を用いることにより、硬化性樹脂組成物の粘度を、塗工に適した範囲に調整することで、表面均一性に優れた前記硬化樹脂層を得ることができる。
【００５５】
反応性希釈剤としては、例えば、１〜３官能の低官能基モノマーが用いられる。低官能基モノマーとしては、例えば、トリメチロールプロパントリ（メタ）アクリレート、１，３−ブタンジオールジ（メタ）アクリレート、１，４−ブタンジオールジ（メタ）アクリレート、１，６−ヘキサンジオールジ（メタ）アクリレート、ジエチレングリコールジ（メタ）アクリレート、ネオペンチルグリコールジ（メタ）アクリレート、２−エチルヘキシル（メタ）アクリレート、テトラヒドロフルフリル（メタ）アクリレート、（メタ）アクリロイルモルホリン等が挙げられる。これらの反応性希釈剤は、１種類を単独で用いてもよいし、２種類以上を併用してもよい。
【００５６】
上記のほか、前記硬化性樹脂組成物は、任意の適切な添加剤を含有してもよい。このような添加剤としては、例えば、レベリング剤、つや消し剤、増感剤、帯電防止剤、酸化防止剤、熱重合禁止剤、接着付与剤、可塑剤、非反応性ポリマー等が挙げられる。
【００５７】
本発明に用いられる硬化性樹脂組成物は、溶剤を含有していない無溶剤型のものであることが好ましい。無溶剤型硬化性樹脂組成物を用いれば、溶剤を含まないため、塗工される偏光子を劣化させず、偏光子の材料として、耐溶剤性の低いものも使用可能となる。さらに、硬化樹脂層を形成する場合に、溶剤乾燥工程が不要となり、溶剤が原因で生じる種々の問題（白化、クラック、硬化不足等）が発生しない。さらに、硬化樹脂層の形成時に溶剤が大気中に揮散することがないので、溶剤による環境汚染や作業者への健康障害が発生しない。
【００５８】
前記硬化性樹脂組成物を、硬化させる方法としては、任意の適切な方法が採用され得る。例えば、前記硬化性樹脂組成物を、偏光子の表面に直接塗工して塗工膜を形成し、塗工膜を加熱したり、塗工膜に紫外線や電子線等の活性光線を照射すればよい。中でも、硬化方法としては、紫外線照射による光硬化が好ましい。なお、硬化樹脂層と偏光子との密着性を向上させる観点からは、硬化性樹脂組成物の塗工膜を硬化させる前に加熱処理を行うことが好ましい。加熱処理の温度は特に制限されないが、３０℃〜１２０℃であることが好ましく、５０℃〜１１０℃であることがより好ましく、６０℃〜１００℃であることがさらに好ましい。
【００５９】
硬化性樹脂組成物を偏光子の表面に塗工する方法としては、例えば、コータを用いた塗工方法がある。前記コータとしては、例えば、リバースロールコータ、正回転ロールコータ、グラビアコータ、ナイフコータ、ロッドコータ、スロットダイコータ、スロットオリフィスコータ、カーテンコータ、ファウンテンコータ、エアドクタコータ、キスコータ、ディップコータ、ビードコータ、ブレードコータ、キャストコータ、スプレイコータ、スピンコータ、押出コータ、ホットメルトコータなどが挙げられる。前記コータは、好ましくは、リバースロールコータ、正回転ロールコータ、グラビアコータ、ロッドコータ、スロットダイコータ、スロットオリフィスコータ、カーテンコータ、及びファウンテンコータである。前記コータは、塗工液の濃度変化を防ぐために、クローズドアプリケーターを利用したコータヘッドを用いることが好ましい。前記のコータを用いた塗工方法であれば、厚みバラツキの小さい、すなわち均一の厚みの硬化樹脂層を得ることができ、好ましい。
【００６０】
塗工膜に活性光線を照射する場合、塗工膜に直接照射してもよいし、偏光子側から照射してもよい。活性光線の照射手段としては、例えば、光源、照射器、冷却装置、及び電源装置を含む。前記光源としては、例えば、高圧水銀ランプ、オゾンレス水銀ランプ、キセノンランプ、ヒュージョンランプ、メタルハライドランプ等が挙げられる。光源の波長は、硬化時間や活性光線の浸透深さ等を考慮して、適宜、選択され得る。前記光源の波長は、例えば、１００ｎｍ〜４００ｎｍであることが好ましく、２１０ｎｍ〜３８０ｎｍのであることがより好ましい。照射光の積算光量は、好ましくは、５０ｍＪ／ｃｍ２〜１０００ｍＪ／ｃｍ２である。
【００６１】
前記照射器は、偏光子への熱的ダメージを小さくするために、赤外線及び可視光線の波長をカットするためのフィルタ（例えば、熱線カットフィルタ）を備えることが、好ましい。前記冷却装置及び電源装置は、光源と照射器全体の温度を一定に保ち、安定して光源を点灯させるために用いられる。前記冷却装置としては、例えば、空冷（排風又は送排風）方式や水冷方式等の冷却装置が挙げられる。
【００６２】
このようにして得られた硬化樹脂層は、前記（Ａ）成分および（Ｂ）成分が、反応せずに残留した未反応物を含んでいてもよいし、含んでいなくてもよい。ただし、高い表面硬度を得るために、前記硬化樹脂層中に含まれる未反応物は、少ないほうが好ましい。
【００６３】
硬化樹脂層の厚みは、硬度の点からは、厚いほど好ましいが、厚すぎると硬化樹脂層にクラックが発生する場合もある。高硬度およびクラック防止を両立させる観点から、前記硬化樹脂層の厚みを適宜設定することが好ましい。前記硬化樹脂層の厚みは、例えば、５μｍ〜３０μｍであることが好ましく、７μｍ〜２３μｍであることがより好ましい。
【００６４】
硬化樹脂層は、その表面構造を凹凸構造にするために、微粒子を含有していてもよい。前記硬化樹脂層の表面構造を凹凸構造にすれば、防眩性を付与することができるからである。前記微粒子としては、例えば、無機微粒子と有機微粒子とがある。前記無機微粒子は、特に制限されず、例えば、酸化ケイ素微粒子、酸化チタン微粒子、酸化アルミニウム微粒子、酸化亜鉛微粒子、酸化錫微粒子、炭酸カルシウム微粒子、硫酸バリウム微粒子、タルク微粒子、カオリン微粒子、硫酸カルシウム微粒子等があげられる。また、有機微粒子は、特に制限されず、例えば、ポリメタクリル酸メチルアクリレート樹脂粉末（ＰＭＭＡ微粒子）、シリコーン樹脂粉末、ポリスチレン樹脂粉末、ポリカーボネート樹脂粉末、アクリルスチレン樹脂粉末、ベンゾグアナミン樹脂粉末、メラミン樹脂粉末、ポリオレフィン樹脂粉末、ポリエステル樹脂粉末、ポリアミド樹脂粉末、ポリイミド樹脂粉末、ポリフッ化エチレン樹脂粉末等があげられる。これらの無機微粒子および有機微粒子は、一種類を単独で使用してもよいし、二種類以上を併用してもよい。
【００６５】
微粒子の形状は特に制限されず、例えば、ビーズ状の略球形であってもよく、粉末等の不定形のものであってもよい。前記微粒子の重量平均粒径は、例えば、１〜３０μｍであることが好ましく、２〜２０μｍであることがより好ましい。前記微粒子としては、略球形のものが好ましく、より好ましくは、アスペクト比が１．５以下の略球形の微粒子である。
【００６６】
微粒子の配合割合は、特に制限されず、適宜設定できる。前記微粒子の配合割合は、前記無溶剤型硬化性樹脂組成物１００重量部に対し、例えば、１〜６０重量部であることが好ましく、２〜５０重量部であることがより好ましい。
【００６７】
微粒子と硬化樹脂層との界面に生じる光散乱や干渉縞を防止する等の観点から、微粒子と硬化樹脂層との屈折率差を小さくすることが好ましい。具体的には、微粒子と硬化樹脂層の屈折率の差は、０．０５未満であることが好ましい。
【００６８】
本発明の偏光板において、前記硬化樹脂層の上に、反射防止層（低屈折率層）を配置してもよい。例えば、画像表示装置に偏光板を装着した場合、画像の視認性を低下させる要因のひとつに空気と硬化樹脂層との界面での光の反射が挙げられる。反射防止層は、その表面反射を低減させるものである。前記反射防止層は、従来の手法により形成できる。また、反射防止層の上に、汚染防止層を形成してもよい。汚染防止層は、従来の手法により形成できる。
【００６９】
［透明保護フィルム］
図１（ｂ）に示す形態において、透明保護フィルム５を形成する材料としては、透明性、機械的強度、熱安定性、水分遮蔽性、等方性などに優れるものが好ましい。例えば、ポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマー等があげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物等も前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化樹脂層として形成することもできる。
【００７０】
透明保護フィルムの厚さは、適宜に決定しうるが、一般には強度や取扱性等の作業性、薄層性等の点より１〜５００μｍ程度である。特に１〜３００μｍが好ましく、５〜２００μｍがより好ましい。
【００７１】
透明保護フィルムとしては、実質的に位相差を有さない光学等方性のものや、位相差を有し、光学補償層として機能し得るもののいずれも用いることができる。位相差を有する透明保護フィルムを用いる場合、その位相差特性は、光学補償に必要とされる値に適宜調整することができる。かかる位相差フィルムとしては、延伸フィルムを好適に用いることができる。前記位相差フィルムは、遅相軸方向の屈折率をｎｘ、面内の進相軸方向の屈折率をｎｙ、厚み方向の屈折率をｎｚとした場合に、ｎｘ＝ｎｙ＞ｎｚ、ｎｘ＞ｎｙ＞ｎｚ、ｎｘ＞ｎｙ＝ｎｚ、ｎｘ＞ｎｚ＞ｎｙ、ｎｚ＝ｎｘ＞ｎｙ、ｎｚ＞ｎｘ＞ｎｙ、ｎｚ＞ｎｘ＝ｎｙ、の関係を満足するものが、各種用途に応じて選択して用いられる。なお、ｎｘ＝ｎｙとは、ｎｘとｎｙが完全に同一である場合だけでなく、実質的にｎｘとｎｙが同じ場合も含む。また、ｎｙ＝ｎｚとは、ｎｙとｎｚが完全に同一である場合だけでなく、実質的にｎｙとｎｚが同じ場合も含む。
【００７２】
本発明の偏光板を有機ＥＬセルの反射防止用の円偏光板として用いる場合は、透明保護フィルム５の正面レターデーションを１／４波長（概ね１００〜１７０ｎｍ）とすることが好ましい。
【００７３】
［接着剤層］
偏光子１と透明保護フィルム５との積層に使用する接着剤層４の形成には接着剤が用いられる。当該接着剤としては、アクリル系ポリマーやビニルアルコール系ポリマーからなる接着剤等が挙げられる。前記接着剤は、偏光子との接着力の観点から、ビニルアルコール系ポリマーからなる接着剤であることが好ましい。また、前記接着剤は、例えば、ホウ酸、ホウ砂、グルタルアルデヒド、メラミン、シュウ酸等のビニルアルコール系ポリマーの水溶性架橋剤を含んでもよい。
【００７４】
［接着型偏光板］
本発明の一実施形態として、図２に示すように、偏光板１０の一方の面に粘着剤層１１が形成された粘着型偏光板が得られる。このように、偏光板にあらかじめ粘着層が形成された粘着偏光板とすることにより、画像表示セル等の他の光学部材との貼り合せが容易となる。
【００７５】
粘着剤層１１は、偏光板のどちら側の面に設けてもよいが、偏光子の一方の面に接着剤層を介して透明保護フィルムが設けられた偏光板に粘着剤層１１を形成する場合は、図２（ｂ）に示すように、透明保護フィルム５が形成されている側の面に粘着剤層１１を形成することが好ましい。このような構成とした場合、透明保護フィルム５が形成されている側が画像表示セル等と貼り合わされ、硬化樹脂層２が形成されている側が外部と接触し得る面となる。当該硬化樹脂層がハードコート層としての機能を有することから、外力に対する偏光板の傷付きを防止することができる。
【００７６】
また、前述のように、本発明の偏光板は、粘着剤層を介して画像表示セルのガラス板と貼り合わされた場合においても、高い硬度を保っているため、実使用時のキズ付き防止に有効である。
【００７７】
粘着剤層１１は、粘着剤から形成される。粘着剤層を形成する粘着剤は特に制限されないが、例えば、アクリル系重合体、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系等のポリマーをベースポリマーとするものを適宜に選択して用いることができる。特に、光学的透明性に優れ、適度なぬれ性、凝集性、粘着性を示し、耐候性や耐熱性に優れるという点で、アクリル系粘着剤が好ましく用いられる。
【００７８】
［用途］
本発明の偏光板は、液晶表示装置や有機ＥＬ表示装置等の各種の画像表示装置に好ましく用いることができる。本発明の画像表示装置は、本発明の偏光板を用いること以外は、従来の画像表示装置と同様の構成とすることができる。本発明の液晶表示装置は、例えば、液晶セル、本発明の偏光板等の光学部材、および必要に応じて照明システム（バックライト等）等の各構成部品を適宜に組み立てて駆動回路を組み込むこと等により製造できる。
【００７９】
液晶表示装置の構成は特に制限されず、液晶セルの片側又は両側に本発明の偏光板等の光学部材を配置した液晶表示装置や、照明システムにバックライトあるいは反射板を用いた液晶表示装置等が挙げられる。液晶セルの両側に本発明の偏光板等の光学部材を配置する場合、それらは同一でもよいし、異なっていてもよい。さらに、本発明の液晶表示装置には、例えば、拡散板、アンチグレア層、反射防止層、保護板、プリズムアレイ、レンズアレイシート等の光学部材および光学部品を配置してもよい。
【００８０】
有機ＥＬ表示装置の構成も特に制限されないが、有機ＥＬセル（有機発光層）の視認側に、本発明の偏光板を有することが好ましい。特に前述のごとく、透明保護フィルムとして１／４波長板を用い、円偏光板とすることによって、外光の反射による視認性の低下を抑止し得る。なお、透明保護フィルムとして１／４波長板を用いずに、本発明の偏光板に、別途１／４波長板を積層して円偏光板としたものを有機ＥＬセルの視認側に配置してもよい。
【００８１】
本発明の画像表示装置は、任意の適切な用途に使用される。その用途は、例えば、デスクトップパソコン、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等が挙げられる。
【実施例】
【００８２】
本発明について、以下に実施例及び比較例を挙げて更に説明するが、本発明は、これらの実施例のみに限定されるものではない。なお、実施例で用いた測定方法は、以下の通りである。
【００８３】
（厚み）
厚みが１０μｍ未満の場合、薄膜用分光光度計［大塚電子（株）製、商品名「瞬間マルチ測光システム ＭＣＰＤ−２０００」］を用いて測定した。厚みが１０μｍ以上の場合、アンリツ（株）製のデジタルマイクロメーター、商品名「ＫＣ−３５１Ｃ型」を使用して測定した。
【００８４】
（鉛筆硬度）
鉛筆硬度は、異なる硬度の鉛筆を用い、ＪＩＳ Ｋ ５４００（１９９０）に準じた試験方法により求めた。
【００８５】
（密着性）
密着性は、偏光板のハードコート層が形成されたのと反対側の面を、硝子板に厚み約２０μｍの粘着剤層を介して貼り付けた後、ハードコート層表面について、ＪＩＳ Ｋ ５４００に準じた碁盤目剥離試験を実施し、剥離個数により評価した。
【００８６】
［実施例１］
（偏光子の作製）
厚み７５μｍのポリビニルアルコール系フィルム（クラレ（株）製、商品名「ＶＦ−ＰＳ＃７５００」）を下記（１）〜（５）の条件の５浴に、フィルム長手方向に張力を付与しながら浸漬し、最終的な延伸倍率がフィルムの元の長さに対して６倍になるように延伸した。この延伸フィルムを４０℃の空気循環式乾燥オーブン内で１分間乾燥させて、厚み３０μｍの偏光子を作製した。
【００８７】
＜条件＞
（１）膨潤浴：３０℃の純水
（２）染色浴：水１００重量部に対し、０．０３重量部のヨウ素と、水１００重量部に対し、０．２重量部のヨウ化カリウムとを含む、３０℃の水溶液
（３）第１の架橋浴：３重量％のヨウ化カリウムと、３重量％のホウ酸とを含む、４０℃の水溶液
（４）第２の架橋浴：５重量％のヨウ化カリウムと、４重量％のホウ酸とを含む、６０℃の水溶液
（５）水洗浴：３重量％のヨウ化カリウムを含む、２５℃の水溶液
【００８８】
（透明保護フィルムの積層）
次に、前記偏光子の一方の面に、厚み８０μｍのＴＡＣフィルム（富士フィルム（株）製  商品名「ＺＲＦ８０Ｓ）を、厚み０．１μｍのポリビニルアルコール系樹脂を主成分とする水溶性の接着剤層（日本合成化学工業（株）製、商品名「ゴーセファイマーＺ２００」）を介して、貼着した。
【００８９】
次に、前記偏光子の透明保護フィルムが積層されていない側の面に、下記組成の無溶剤型硬化性樹脂組成物を塗工した後、１００℃の乾燥機にて１分間加熱して塗工膜を形成した。乾燥機から取り出した後、硬化性樹脂組成物がレベリングされるのを待ち、高圧水銀ランプを用いて、波長３６５ｎｍの紫外線を照度３０ｍＷ／ｃｍ２、積算光量が３００ｍＪ／ｃｍ２となるように照射して、厚み１０μｍの硬化樹脂層を形成した。なお、紫外線照射による硬化は空気中でおこなった。
【００９０】
（硬化性樹脂組成物）
（Ａ）成分：ジペンタエリスリトールペンタアクリレート（日本化薬（株）製  商品名「ＫＡＹＡＲＡＤ ＤＰＨＡ」、Ｍｗ＝５７８）  ５４重量部
（Ｂ）成分：４−ヒドロキシブチルアクリレート（日本化成（株）製  商品名「ＨＢＡ」）  ２３重量部
（Ｃ）成分：ポリウレタンアクリレート（日本合成化学（株） 商品名 「紫光 ＵＶ−１７００Ｂ」）  １８重量部
（Ｄ）成分：２−メチル−１−（４−メチルチオフェニル）−２−モルフォリノプロパン−１−オン（チバ・スペシャリティ・ケミカルズ（株）製  商品名「ＩＲＧＡＣＵＲＥ９０７」））  ５重量部
【００９１】
このように作製した偏光板は、偏光子と、偏光子の一方の面に直接形成された硬化樹脂層と、偏光子の他方の面に接着剤層を介して貼着されたＴＡＣフィルム（透明保護フィルム）とを備える。
【００９２】
［実施例２］
実施例１の硬化性樹脂組成物の（Ｂ）成分として４−ヒドロキシブチルアクリレートを用いる代わりに、２−ヒドロキシエチルアクリレート（日本化成（株）製  商品名「ＨＥＡ」）２３重量部としたこと以外は、実施例１と同様にして偏光板を作製した。
【００９３】
［実施例３］
実施例１の硬化性樹脂組成物の（Ｂ）成分として４−ヒドロキシブチルアクリレートを用いる代わりに、２−ヒドロキシエチルメタクリレート（日本触媒（株）製  商品名「ＨＥＭＡ」）２３重量部としたこと以外は、実施例１と同様にして偏光板を作製した。
【００９４】
［実施例４］
実施例１の硬化性樹脂組成物の（Ｂ）成分として４−ヒドロキシブチルアクリレートを用いる代わりに、ヒドロキシブチルアクリレート（共栄社化学（株）製  商品名「ＨＯＢ−Ａ」）２３重量部としたこと以外は、実施例１と同様にして偏光板を作製した。
【００９５】
［実施例５］
実施例１の硬化性樹脂組成物の（Ｂ）成分として４−ヒドロキシブチルアクリレートを用いる代わりに、ヒドロキシブチルメタクリレート（共栄社化学（株）製  商品名「ＨＯＢ」）２３重量部としたこと以外は、実施例１と同様にして偏光板を作製した。
【００９６】
［実施例６］
実施例１の硬化性樹脂組成物の（Ｂ）成分として４−ヒドロキシブチルアクリレートを用いる代わりに、ヒドロキシプロピルアクリレート（共栄社化学（株）製  商品名「ＨＯＰ−Ａ」）２３重量部としたこと以外は、実施例１と同様にして偏光板を作製した。
【００９７】
［実施例７］
実施例１の硬化性樹脂組成物の（Ｂ）成分として４−ヒドロキシブチルアクリレートを用いる代わりに、ヒドロキシプロピルメタクリレート（共栄社化学（株）製  商品名「ＨＯＰ」）２３重量部としたこと以外は、実施例１と同様にして偏光板を作製した。
【００９８】
［実施例８］
実施例１の硬化性樹脂組成物の（Ｂ）成分として４−ヒドロキシブチルアクリレートを用いる代わりに、ヒドロキシエチルアクリルアミド（（株）興人製  商品名「ＨＥＡＡ」）２３重量部としたこと以外は、実施例１と同様にして偏光板を作製した。
【００９９】
［実施例９］
実施例１の硬化性樹脂組成物の（Ｂ）成分として４−ヒドロキシブチルアクリレートを用いる代わりに、ヘキサンジオールのエポキシジアクリレート（ナガセケムテックス（株）製  商品名「ＤＡ−２１２」）２３重量部としたこと以外は、実施例１と同様にして偏光板を作製した。
【０１００】
［比較例１］
実施例１の硬化性樹脂組成物において、（Ｂ）成分を用いずに、（Ａ）成分を７１重量部、（Ｃ）成分を２４重量部としたこと以外は、実施例１と同様にして偏光板を作製した。
【０１０１】
［比較例２］
実施例１の硬化性樹脂組成物の（Ｂ）成分として４−ヒドロキシブチルアクリレートを用いる代わりに、ジシクロペンテニルアクリレート（日立化成工業（株）製  商品名「ＦＡ５１１１Ａ」）２３重量部としたこと以外は、実施例１と同様にして偏光板を作製した。
【０１０２】
［比較例３］
実施例１の硬化性樹脂組成物の（Ｂ）成分として４−ヒドロキシブチルアクリレートを用いる代わりに、ジメチルアミノエチルアクリレート（日立化成工業（株）製  商品名「ＤＭＥＡ」）２３重量部としたこと以外は、実施例１と同様にして偏光板を作製した。
【０１０３】
［比較例４］
実施例１の硬化性樹脂組成物の（Ｂ）成分として４−ヒドロキシブチルアクリレートを用いる代わりに、ベンジルアクリレート（日立化成工業（株）製  商品名「ＦＡ−ＢＺＡ」）２３重量部としたこと以外は、実施例１と同様にして偏光板を作製した。
【０１０４】
［比較例５］
実施例１の硬化性樹脂組成物において、（Ａ）成分、（Ｃ）成分を用いずに、（Ｂ）成分として４−ヒドロキシブチルアクリレート（日立化成工業（株）製  商品名「ＨＢＡ」）  ９５重量部としたこと以外は、実施例１と同様にして偏光板を作製した。
【０１０５】
［粘着型偏光板の作製］
実施例および比較例で作製した各偏光板の透明保護フィルム側の面に厚み２０μｍのアクリル系粘着剤層を形成して、粘着型偏光板を得た。さらに、得られた粘着型偏光板を、粘着剤層を介してガラス板に積層した。
【０１０６】
［評価結果］
実施例および比較例の各偏光板の硬化性樹脂組成物の組成、密着性（剥離個数）、鉛筆硬度、およびガラス板に積層された粘着型偏光板の鉛筆硬度を表１に示す。
【０１０７】
【表１】
0005546933.tif 000002
【０１０８】
硬化性樹脂組成物が（Ｂ）成分を有していない比較例１では、偏光子と硬化樹脂層の密着性が十分でなく、さらには、粘着剤層を介してガラス板に貼り合せた際の鉛筆硬度の低下が顕著であった。また、硬化性樹脂組成物が（Ａ）成分および（Ｃ）成分を有していない比較例５においては、偏光子と硬化樹脂層の密着性は高いものの、硬化樹脂層の鉛筆硬度が十分ではなかった。硬化性樹脂組成物の（Ｂ）成分として、水酸基を有していない一官能アクリレートを用いた比較例２〜４においては、偏光子と硬化樹脂層の密着性が十分ではなかった。
【０１０９】
これに対して、硬化性樹脂組成物の（Ｂ）成分として水酸基を有する一官能または二官能の（メタ）アクリレートを用いた実施例の偏光板は、偏光子と硬化樹脂層の密着性が高く、さらには硬化樹脂層の硬度も十分であった。また、粘着剤層を介して偏光板とガラス板とを貼り合せた際にも鉛筆硬度の低下がみられなかった。
【０１１０】
以上のように、本発明の偏光板は、薄型化が可能であることに加えて、偏光子と硬化樹脂層との密着性に優れている。さらには、粘着剤層により液晶セル等の画像表示セルのガラス板に積層された際にも、高い鉛筆硬度を保っているため、実使用時のキズ付き防止に極めて有効である。
【符号の説明】
【０１１１】
１      偏光子
２，３  硬化樹脂層
４      接着剤層
５      透明保護フィルム
１０    偏光板
１１    粘着剤層
２０    粘着型偏光板
【図１】
0005546933.tif 000003
【図２】
0005546933.tif 000004